(57)【要約】【課題】本発明は、洗い場床上を洗剤含有水で洗浄することができ、且つ排水トラップ内に殺菌水を長時間、滞留させて排水トラップ内の細菌由来の汚れを防止することのできる浴室洗浄システムを提供する。【解決手段】洗い場床面上の全体に向けて洗剤含有水を吐水する洗い場洗浄工程と、洗い場床面上の全体に向けて水道水を吐水し、洗剤含有水を洗い流すすすぎ工程と、洗い場床面に形成された排水口または排水口近傍に殺菌水を集中的に吐水する排水口殺菌工程と、を実行可能な制御装置を備え、制御装置は、洗い場洗浄工程を実行した後に、すすぎ工程を実行し、すすぎ工程を実行した後に、排水口殺菌工程を実行することを特徴とする。【選択図】図１
2009219566.tif 000002
【特許請求の範囲】
【請求項１】
洗い場床面上の全体に向けて洗剤含有水を吐水する洗い場洗浄工程と、
洗い場床面上の全体に向けて水道水を吐水し、前記洗剤含有水を洗い流すすすぎ工程と、
洗い場床面に形成された排水口または前記排水口近傍に殺菌水を集中的に吐水する排水口殺菌工程と、を実行可能な制御装置を備え、
前記制御装置は、前記洗い場洗浄工程を実行した後に、前記すすぎ工程を実行し、
前記すすぎ工程を実行した後に、前記排水口殺菌工程を実行することを特徴とする浴室洗浄システム。
【請求項２】
さらに、前記制御装置は、洗剤含有水、水道水、および殺菌水の吐水を予め設定された所定時間、停止させる待機工程を実行可能であり、
前記制御装置は、前記すすぎ工程を実行した後に、前記待機工程を実行し、
前記すすぎ工程において吐水された水道水の大半を前記排水口に排出させた後に、
前記排水口殺菌工程を実行することを特徴とする請求項１記載の浴室洗浄システム。
【発明の詳細な説明】
【技術分野】
【０００１】
本発明は、浴室の洗い場床面上に洗浄水を吐水して洗い場床面上を洗浄するとともに、排水トラップ内に殺菌水を吐水して排水トラップ内における細菌の発生を抑制することができる浴室洗浄システムに関する。
【背景技術】
【０００２】
従来、殺菌性物質又はイオンを含有する殺菌水を浴室の壁や洗い場床に散布して、細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することができることが開示されている。また、洗い場床や浴室壁に散布された殺菌水は、洗い場床上を排水勾配に沿って流れ、洗い場床に取り付けられ、封水を形成可能な排水トラップに集水される。
【０００３】
また、浴槽と洗い場床の全面に洗剤含有水を噴霧し、洗剤含有水をすすぐための水道水を吐水する浴室の洗浄システムが開示されている（例えば特許文献２参照）。
斯かる浴室洗浄システムにおいては、浴槽と洗い場床を自動で洗浄することができる。
【特許文献１】特開平９−２２０２７３号公報
【特許文献２】特許３２６６０３２号公報
【発明の開示】
【発明が解決しようとする課題】
【０００４】
特許文献２によれば、洗い場を洗浄することができるが、有機物汚れが排水トラップ内に集水され、排水トラップ内に細菌が繁殖してしまうおそれがあった。
【０００５】
また、特許文献１では、排水トラップ内における細菌の発生を抑制することを考慮していなかったため、排水トラップ内の菌の繁殖を充分に抑制することができないという問題があった。一般的に、入浴直後における排水トラップの封水部は、皮脂、シャンプー、石鹸カスなどの有機物汚れが、多く含まれているため菌が非常に繁殖しやすい環境にある。このような有機物汚れが多量に存在している状態で殺菌水を少量だけ流入させても、殺菌効果が減少してしまう。そこで、排水トラップ内に残存していた入浴直後の封水を殺菌水で充分に置換することが求められる。
【０００６】
しかしながら、殺菌水は洗い場上を経由して排水トラップ内に流れこんでくるものであるため、トラップ内を完全に殺菌水で置換することができないおそれがあった。
【０００７】
また、洗い場床上を洗剤で洗浄することと、排水トラップ内の細菌の繁殖を防止することを同時に実現することについては、特許文献１、２のいずれにも開示がなかったため、殺菌水を排水トラップ内に流入させた後に、洗い場上に洗剤含有水と水道水を吐水させてしまうことがあり、排水トラップ内の殺菌水を洗い場上の洗浄に使用した洗剤や水道水で置換してしまうおそれがあり、好ましくなかった。
【０００８】
本発明は、上述した課題に鑑みてなされ、洗い場床上を洗剤含有水で洗浄することができ、且つ排水トラップ内に殺菌水を長時間、滞留させて排水トラップ内の殺菌の発生を防止することのできる浴室洗浄システムを提供することを目的とする。
【課題を解決するための手段】
【０００９】
本発明の一態様によれば、洗い場床面上の全体に向けて洗剤含有水を吐水する洗い場洗浄工程と、洗い場床面上の全体に向けて水道水を吐水し、前記洗剤含有水を洗い流すすすぎ工程と、洗い場床面に形成された排水口または前記排水口近傍に殺菌水を集中的に吐水する排水口殺菌工程と、を実行可能な制御装置を備え、前記制御装置は、前記洗い場洗浄工程を実行した後に、前記すすぎ工程を実行し、前記すすぎ工程を実行した後に、前記排水口殺菌工程を実行することを特徴とする浴室洗浄システムを提供する。
【発明の効果】
【００１０】
本発明に係る浴室洗浄システムによれば、洗い場床上を洗剤含有水で洗浄することができ、且つ排水トラップ内に殺菌水を長時間、滞留させて排水トラップ内の細菌由来の汚れを防止することのできる浴室洗浄システムを提供することができる。
【発明を実施するための最良の形態】
【００１１】
本発明に係る浴室洗浄ユニットの一実施形態について、添付図面を参照して説明する。図１は、本実施形態に係る浴室洗浄システムの全体的な概要を示すものである。
この浴室洗浄システムは、浴槽２と、浴槽２の長辺側に隣接する洗い場床３と、浴槽２側から洗い場床３を隔てて浴槽２に対向する第１の壁面４へ横設された浴室カウンタ５と、浴室洗浄装置１とから構成される。洗い場床３は、排水口７内に向かって排水用の下り勾配が取られている。ここで、浴室カウンタ５は、第２の壁面４２に取り付けられており、浴槽２のリム２ａより低い位置に配置されている。
【００１２】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水口７が設けられ、排水口７上面には、洗い場床上の水が排水口７内に流入可能な程度の隙間を空けて排水蓋８が載置される。
【００１３】
浴室洗浄装置１は、制御ボックス（制御装置）１０と、機能ユニット１１と、洗い場全体に洗剤を含む洗浄液とすすぎ水を吐水する洗い場洗浄散水部１２と、排水口に集中的に殺菌水を吐水する排水口殺菌散水部７３と、リモコン１３とを備える。
【００１４】
制御ボックス１０は、浴室の天井裏に設置され、リモコン１３からの指示により、機能ユニット１１内の後述する電磁弁及び電解槽を制御する。機能ユニット１１は、殺菌水及び洗剤を含む洗浄液を生成するユニットであり、浴室カウンタ内に内蔵され、洗剤を補給する洗剤補給口８１と、洗剤を含む洗浄液を散布する洗い場洗浄散水部１２と、殺菌水を散布する排水口殺菌散水部７３が接続される。洗剤補給口８１は浴室カウンタの上面に開口して配置される。
【００１５】
リモコン１３は、浴室前の更衣室等の壁面に設置され、スイッチ１３ａとＬＥＤ１３ｂと洗剤補給ＬＥＤ１３ｃを備える。スイッチ１３ａをＯＮにすると、浴室洗浄装置１が作動を開始するとともに、ＬＥＤ１３ｂが点灯し、浴室洗浄装置１が作動中であることを表示する。また洗剤タンク８０内の洗剤が所定量より少なくなると洗剤補給ＬＥＤ１３ｃが点灯する。
【００１６】
浴室カウンタ５内部には、図２に示すように、洗い場水栓に給水／給湯する給水管１５及び給湯管１６が配管される。給水管１５は、給水管分岐部７５で分岐されて、機能ユニット１１に水を供給する水道水導入管１７が接続される。この水道水導入管１７の途中には止水栓１８が設けられ、この止水栓１８を閉めることにより、機能ユニット１１を取り外す際にも、浴室の通常の使用に支障を来さないようになっている。
【００１７】
機能ユニット１１の出口部分には、殺菌水導出管１９の先に分岐部７０を設ける。水道水導入管１７により導入された水は、機能ユニット１１内において殺菌水に変成され、殺菌水導出管１９を経由して分岐部７０を通り、電磁弁７２を経由して排水口殺菌散水部７３から吐水される。また機能ユニット１１内において洗剤を混入した洗浄水は、殺菌水導出管１９を経由して分岐部７０を通り、電磁弁７１を経由して洗い場洗浄散水部１２から吐水される。
【００１８】
機能ユニット１１内の配管図を図３に示す。給水管１５が、給水管分岐部７５で分岐して、一方は洗い場水栓７７へ、もう一方は機能部に入水する。電磁弁２２の開によって水道水は、定流量弁２３、逆止弁２４、大気開放弁２５を通過し、洗い場洗浄モードでは、洗剤ポンプ８２の駆動により洗剤タンク８０から洗剤が水道水に混入され、分岐部７０を通過し、電磁弁７１の開とともに洗い場洗浄散水部１２から吐水される。洗剤は洗剤補給口８１から洗剤タンク８０内に補給され、フロートＳＷにより洗剤量の検知を行う。また、殺菌水生成においては、電解槽２６の通電により殺菌成分が混入され、電磁弁７２の開とともに排水口殺菌散水部７３から吐水される。
【００１９】
リモコン１３のスイッチ１３ａが押されると、制御ボックス１０からの指示により電磁弁２２と電磁弁７１が開いて通水され、定流量弁２３により流量が一定に保たれる。これにより、生成される洗剤混入濃度が一定に保たれると同時に、散水部から散布される洗浄水の水圧も一定に保たれ、所望の範囲に洗浄水を散布することが可能となる。
【００２０】
通水状態になると、洗剤ポンプ８２の作動が開始され、洗剤の水道水への混入が行われ、洗剤を含有する水は洗浄水として散水部へ送られる。こうして生成された洗浄水は、逆止弁２４により給水管１５へと逆流することが防止される。
【００２１】
前記洗剤を含む水での洗い場床洗浄工程の後、洗剤ポンプ８２の作動を停止して、洗い場床に水だけ散布するすすぎ工程を行う。これにより洗い場床の汚れを含んだ洗浄水を排水口へ排出し、洗い場床表面を清浄にする。すすぎ工程の後は、待機工程を設け、すすぎ水が排水口へ流れ出て、できるだけ床に残らないようにする。これにより、この後吐水する殺菌水が、排水口付近（排水口近傍の床、および排水口内）で希釈されるのを防止する。
【００２２】
所定時間後、制御ボックス１０からの指示により電磁弁２２と電磁弁７２が開いて通水状態になり、電解槽２６の電極２９に通電が開始され、電極２９の電気分解が行われて銀イオンが発生する。銀イオンを含有する水は殺菌水として散水部へ送られる。こうして生成された殺菌水は、逆止弁２４により給水管１５へと逆流することが防止される。また定流量弁２３により流量が一定に保たれ、水勢を保った状態で排水口近傍に殺菌水が吐水される。
【００２３】
大気開放弁２５は、通電時（電磁弁開）においては閉止状態になって、水が外部に漏出することが防止され、待機時（電磁弁閉）には開放状態になって、逆止弁２４より下流側は空気と置換される。これにより、洗剤含有水や殺菌水の逆流防止の安全性が、逆止弁２４の作用とともに高まる。また電解槽２６内に残存水が残ることが防止される。
【００２４】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、図４（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２５】
洗い場洗浄散水部１２は、図５に示すように、大別して、ボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図７参照）。回転体３１はこのように取り外し可能かつ分解可能に形成されているので、その内部及びボディ３０の先端を清掃することができる。
【００２６】
回転体３１（の下側部材３３）には、図６（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ洗浄水を万遍なく散布することができる。
【００２７】
これらのうち、液体噴出孔３３ａは、図６（ｂ）に示すように、水平に開口するものの、液体噴出孔３３ｂは、図６（ｃ）に示すように、仰角４°に開口する。また、液体噴出孔３３ｃは、図６（ｄ）に示すように、仰角８°に、液体噴出孔３３ｄは、図６（ｄ）に示すように、仰角１２°にそれぞれ開口する。
【００２８】
これにより、洗い場床３の散水部近傍から遠方まで、万遍なく散布することができる。なお、各液体噴出孔の仰角は、散布する洗い場床の広さに応じて適宜決定される。
【００２９】
ところで、ボディ３０の先端は、図７に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００３０】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００３１】
図８は、洗い場洗浄散水部１２の散布状態を示す平面図であり、図９は同立面図である。
図８に示すＧのエリアは、主に仰角０°の液体噴出孔３３ａからの洗浄水が散布されるエリアであり、同Ｈのエリアは、主に仰角４°の液体噴出孔３３ｂからの洗浄水が散布されるエリア、同じく、Ｉ及びＪのエリアは、それぞれ主に仰角８°及び１２°の液体噴出孔３３ｃ及び３３ｄからの洗浄水が散布されるエリアである。このように、液体噴出口３３ａ，３３ｂ，３３ｃ，３３ｄの仰角を異ならせることにより広範囲に亘って洗浄水を散布することが可能となる。
【００３２】
これに対し、図８に示すＦのエリアには、洗浄水は直接散布されない。このエリアには、洗い場洗浄散水部１２より奥側で浴室カウンタが取設される第２の壁面４２、第２の壁面近傍側の第１の壁面４、または第２の壁面近傍側のバスエプロン６に当たり跳ね返った水、及び跳ね返った後そこから洗い場床３の勾配に沿って流れ下る洗浄水により洗浄される。このように、洗い場洗浄散水部１２が回転して吐水する形態であるため、散水部から離れたエリアＧ，Ｈ，Ｉ，Ｊエリア用の液体噴出孔を設けておけば、必然的に洗い場洗浄散水部１２近傍の洗い場床上は、大量の洗浄水が流れることになる。これにより、洗い場床上全面に洗浄水を行き渡らせることが可能となる。特に、水道圧力のみで、洗い場洗浄散水部１２遠方側まで洗浄水を散布するためには、液体噴出孔の総孔面積に限界があるが、本実施形態では、散水部から離れたエリアＧ，Ｈ，Ｉ，Ｊエリア用の液体噴出孔のみで足りるため、水道水圧のみで洗い場床の全面に洗浄水を行き渡らせることができる。
【００３３】
この点、洗い場洗浄散水部１２は、浴槽２と洗い場床３を隔てて対向する壁面４近傍、すなわち、排水口７と対角位置となるに水上に取設されるので、散水部近傍においても洗浄水が廻らないエリアはない。
【００３４】
また、洗い場洗浄散水部１２は、浴室カウンタ５下部に取設されるので、浴室カウンタ５下部が陰になって、洗浄水が廻らないということもない。
【００３５】
他方、液体噴出口３３ｄの仰角は一定以下に抑えられるので、無闇に広いエリアに散布することはなく、経済的であるばかりでなく、図９に示すように、洗浄水は最高位置でも浴槽２のリム２ａの高さを超えないので、風呂蓋に洗浄水がかかることもない。
【００３６】
さらに、洗浄水は、バスエプロン６に向かっても散布されるので、図１０に示すように、排水口７上の排水蓋８とバスエプロン６との間にできる隙間には、バスエプロン６に当たって流れ落ちる洗浄水によって洗浄される。このように、洗い場床３を流れ落ちる洗浄水だけでは網羅できないエリア（排水口におけるバスエプロン６側の端辺であって、特にその中央付近は洗い場床上を流れた洗浄水が流れにくい。）も洗浄することができる。
【００３７】
排水口殺菌散水部７３は、図１１に示すように殺菌水を排水口近傍に集中して吐水する構造を有する。吐水口７４は排水口に向けられて設置され、図１２に示すように、殺菌水が排水口近傍に集中して吐水される。
【００３８】
洗い場洗浄散水部１２は、広範囲に洗浄水を散布する固定ノズルでも構わない。図１３に示すように排水口７と反対側の壁付近に洗浄水を吐水すれば、洗い場床３が有する排水口に向かう傾斜を利用して洗浄水を流せるため、ほぼ全面の洗い場床３に洗浄水を接触させることが可能となる。
【００３９】
図１４は、浴室洗浄スイッチがＯＮされた時のフローチャートである。浴室洗浄ＳＷがＯＮされると、電磁弁２２と電磁弁７１が開き、洗剤ポンプ８２を駆動させて、洗い場洗浄散水部１２から洗剤含有の洗浄水を洗い場床３の全面に吐水する洗い場洗浄工程を実行する。タイマーが所定時間Ｔ０をカウントしたら、洗剤ポンプ８１を止め、水（水道水）だけの吐水で洗い場床をすすぎ洗いするすすぎ工程を実行する。所定時間Ｔ1経過後、電磁弁２２と電磁弁７１を閉め、すすぎ洗いを完了する。その後、洗い場洗浄散水部１２および排水口殺菌散水部７３のいずれからも所定時間Ｔ2、水が吐水されない状態にする待機工程を実行し、この間に洗い場床に散水された水が排水口に排出される。待機工程の後、電磁弁２２と電磁弁７２を開き、電解槽２６への通電を行い、殺菌水を排水口殺菌散水部７３から排水口付近に集中して吐水する排水口殺菌工程を実行する。タイマーが所定時間Ｔ3をカウントしたら、電磁弁２２と電磁弁７２を閉じ、殺菌水生成装置を停止して運転を終了する。電解槽２６への通電を停止してから電磁弁を閉めるのが好ましい。なぜなら、電磁弁を閉める少し前（１秒程度）に殺菌水生成の通電を止めることで、残水に殺菌成分、本実施例では銀イオンが混じらず、銀イオンが原因となりうる黒ずみが吐水部や吐水部下の床にできる可能性がなくなる。また、好ましくは電磁弁２２を閉めて、５秒程度おいてから電磁弁７２を閉めるのが良い。そうすれば大気開放弁２４の作用で、水路管内の残水が排水口殺菌散水部７３から抜けるためである。前記した所定時間Ｔ１が、待機工程に相当し、洗い場殺菌工程において吐水された洗浄水の大半を前記排水口に排出させる時間となる。皮脂や石鹸かすなど洗い場床３にある成分を完全に排水口に流した後、排水口付近に排水口殺菌散水部７３から吐水することで、排水トラップ内の汚れ成分を殺菌水で完全に置換することができ、排水トラップ内には汚れ成分を含まない殺菌水のみを滞留することができる。結果として、排水口内の防汚性能が高まる効果がある。
【００４０】
本実施例における殺菌水としては、殺菌性物質又はイオンを含有する水を例示することができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ炭酸イオン又はその塩、アルコール系消毒液などを挙げることができる。
【００４１】
上述した本実施形態により、洗い場床上を洗剤含有水で洗浄することができ、且つ排水トラップ内に殺菌水を長時間、滞留させて排水トラップ内の細菌由来の汚れを防止することのできる浴室洗浄システムを提供することができる。
【図面の簡単な説明】
【００４２】
【図１】本発明に係る浴室洗浄システムの一実施形態の全体概要を示す図。
【図２】浴室カウンタ裏面に取設された機能部を示す図で、（ａ）は平面図、（ｂ）は正面図、（ｃ）は側面図。
【図３】機能ユニットの詳細を示す図。
【図４】銀電極の配置を模式的に説明する図。
【図５】洗い場床全面に洗浄水を吐水する洗い場洗浄散布部１２の構成を示す図。
【図６】洗い場洗浄散布部１２の回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図７】洗い場洗浄散布部１２の分解断面図。
【図８】洗い場洗浄散布部１２による洗浄水の散布状態を示す平面図。
【図９】洗い場洗浄散布部１２による洗浄水の散布状態を示す立面図。
【図１０】排水口廻りにおける洗浄水の散布状態を示す斜視図。
【図１１】排水口付近に殺菌水を吐水する排水口殺菌散布部７３の構成を示す図。
【図１２】排水口殺菌散布部７３による殺菌水の散布状態を示す平面図。
【図１３】洗い場洗浄散布部１２が固定ノズルの場合の散布状態を示す平面図。
【図１４】浴室洗浄ＳＷがＯＮされた時のフローチャート。
【符号の説明】
【００４３】
１  浴室洗浄装置
２  浴槽
２ａ  リム
３  洗い場床
４  第１の壁面
５  浴室カウンタ
６  バスエプロン
７  排水口
８  排水蓋
１０  制御ボックス
１１  機能ユニット
１２  洗い場洗浄散布部
１３  リモコン
１３ａ  スイッチ
１３ｂ  ＬＥＤ
１３ｃ  洗剤補給ＬＥＤ
１５  給水管
１６  給湯管
１７  水道水導入管
１８  止水栓
１９  殺菌水導出管
２２  電磁弁
２３  定流量弁
２４  逆止弁
２５  大気開放弁
２６  電解槽
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第二の壁面
７０  分岐部
７１  電磁弁
７２  電磁弁
７３  排水口殺菌散水部
７４  吐水口
７５  給水管分岐部
７７  洗い場水栓
８０  洗剤タンク
８１  洗剤補給口
８２  洗剤ポンプ
【図１】
2009219566.tif 000003
【図２】
2009219566.tif 000004
【図３】
2009219566.tif 000005
【図４】
2009219566.tif 000006
【図５】
2009219566.tif 000007
【図６】
2009219566.tif 000008
【図７】
2009219566.tif 000009
【図８】
2009219566.tif 000010
【図９】
2009219566.tif 000011
【図１０】
2009219566.tif 000012
【図１１】
2009219566.tif 000013
【図１２】
2009219566.tif 000014
【図１３】
2009219566.tif 000015
【図１４】
2009219566.tif 000016